(57)【要約】【課題】針金と同様のように自由に折り曲げられ、形状を保つ特性を有するプラスティック線材を用いて自然色に着色した薄葉紙、和紙又は薄い合繊製不織布のいずれかで、外皮として巻き上げ固定させた食品装飾用の結束材を考案することにある。【解決手段】従来は、食品装飾製品であるオーナメント又はリボン材などの骨材、芯材または結束材として、針金表面に着色されたものを用いられる場合が多い、この際、製造者及び使用者において針金による引っ掻き、突き刺しなどによる怪我の心配を配慮する必要があるため、本考案では、針金と同様に自由に折り曲げることが可能なプラスティック製線材を用い、該線材の外皮を予め自然色に染色された薄葉紙か和紙、薄いフィルムまたは合繊製不織布でもって、プラスティック製線材の外皮として巻き上げ接着固定させることで、プラスティック製線材の太さの白い部分が全く見えないようにし、且つ視覚的に違和感と不自然性の全くない食品装飾製品の骨材、芯材及び結束材を提供する。【選択図】図２
0003124130.tif 000002
【実用新案登録請求の範囲】
【請求項１】
線材１は、針金と同様に自由に折り曲げ、且つ捻ることが可能で、変形したのちで形態保持性を有するプラスティック製で、線材１の素材は、オレフィン樹脂、であるポリエチレン又はポリプロピレンで、他にポリアミド樹脂、ポリエステル樹脂又は生分解性樹脂のいずれを用いてよく、該線材１の直径は０．１ｍｍφから４．０ｍｍφの範囲で、より最適な直径は０．２ｍｍφから２．０ｍｍφで、該線材１の外側を所望の色で着色され、且つ寒天又はポリビニルアルコール樹脂などの接着剤が含浸された薄葉紙、和紙あるいは薄いフィルムまたは合繊製不織布などのいずれかを用いて外皮材料３とし、該外皮材料３は線材１の外側を巻きつけやすい適性幅に切り出して細幅のテープ状にしたもので接着固定し、外皮材料３は線材１の外側表面に完全に巻きつけ固定させていることで、プラスティックの白い部分２が全く見られないようにし、外部からの視覚による違和感または不自然性が全く感じられない優美な天然色に富み、且つ形態保持性の特徴を有したプラスティック製の線材１からなる食品装飾用部品の骨材、芯材及び結束材。
【考案の詳細な説明】
【技術分野】
【０００１】  本考案は、食品装飾用の骨材、芯材及び結束材として利用する場合、針金と同様のように自由に折り曲げられ、形状を保つ特性を有するプラスティック製線材に関するものである。
【背景技術】
【０００２】  従来からの食品装飾用の幾つかの部品には、針金を主としたものが大半で用いられており、この場合、部品を形成する製造者あるいは使用者においては針金による引っ掻き傷、突き刺し傷などの怪我を発生する可能性が高く、食品装飾用商品としては針金であるため、錆びるという致命的欠陥があり、商品の長期保存ができないという欠点がある。【０００３】  例えば、公開平５−６５２８１号には、細い針金を芯材に一本のプラステッイクでモールを放射状に張り出させたミニュチュアツリーの飾りつけられたものが開示されているが、この場合、芯材に使用されたのが針金であるため、やはり、製造者もしくは使用者の怪我の問題はつきまとうものである。【０００４】  先述のようないろいろな課題を回避するために、考案したもので、以下の表１に、従来の針金とプラステッイク製線材の特長及び比較したものを示す。
【表１】
0003124130.tif 000003
【０００５】
【実用新案文献１】
公開平５−６５２８１号
【考案の開示】
【考案が解決しようとする課題】
【０００６】  解決しようとする問題点は、従来の食品装飾製品であるオーナメント又はリボン材などの骨材、芯材あるいは結束材として、表面に着色された針金を用いられる場合が多く、製造者及び使用者において▲１▼針金による引っ掻き、▲２▼突き刺しなどによる怪我の問題を排除するために鋭意研究の末、本考案に至った。
【課題を解決するための手段】
【０００７】  本考案は上記で説明した▲１▼、▲２▼の課題を解決する手段としては、従来の針金に変わり自由に折り曲げ、捻り変形を容易に与えることができ、且つ形態保持性を有したプラスティック製線材で、食品装飾用の部品などの骨材、芯材あるいは結束材と活用できることを見出した。
【考案の効果】
【０００８】  先述のようないろいろな課題を回避するために、従来の針金に変わるプラスティック製（実施例ではポリエチレン）線材で以下の表２に示す効果のあることが明確となった。
【表２】
0003124130.tif 000004
【０００９】  以下、本考案を実施するための最良の形態を図面に基づいて詳細に説明する。
図１は、本考案のポリエチレン線材で外皮を巻き付けた状態と外皮材料を剥離した実施態様を示す。図２は、本考案の食品装飾製品であるオーナメントに本考案のポリエチレン製線材をオーナメント商品の各部品の芯材と結束材として用いた商品の実施態様を示す。
【実施例１】
【００１０】  図１は針金と同様に自由に折り曲げることができる直径０．５ｍｍφのポリエチレン製の線材１を用いる。【００１１】  図１に示すごとく、該線材の外皮用として緑色に染色した和紙で線材の外皮となるように巻き上げ接着固定化させた外皮材料３を示す。但し、この外皮材料３には、和紙、薄用紙及び薄い不織布のいずれを用いてもよいが、図１では和紙を採用しており、和紙には予め寒天が塗布されたものを用い、確実にポリエチレン線材の内部の白い部分が全く見えないようになるまで巻き上げることで、プラスティックであるという特有の白い部分が視覚的な違和感と不自然性であることが感じられないようにした自然色に近いオーナメント商品の芯材及び結束材に実施した。
【実施例２】
【００１２】  以下には、本考案の食品装飾用のオーナメント商品の実施態様を図２に基づいて詳細に説明する。図２は、図１に示すポリエチレン線材１を用いて、直径０．５ｍｍφのポリエチレン製の線材１と、外皮材料３の和紙に予め寒天が塗布されたものを用い、ポリエチレン線材の外側を確実に中実部の白い部分２が全く見えないようになるまで巻き上げたもので、自然に富んだオーナメント商品の飾りつけ部品の団栗の芯材１０、ハンの実１１、赤玉の芯材１２と、さらには、全ての飾り付け部品を束ねるための結束材１３としたものの実施態様を示す。
【産業上の利用可能性】
【００１３】  従来は、食品装飾製品であるオーナメント又はリボン材などの骨材、芯材あるいは結束材として、表面が着色された針金を用いられる場合が多い、この際、製造者及び使用者において針金による引っ掻き、突き刺しなどによる怪我の心配を考慮する必要があるため、本考案では、針金と同様に自由に折り曲げることが可能なプラスティック製線材を用い、該線材の外皮を自然色に着色した薄葉紙、和紙又は薄いフィルムあるいは合繊製不織布のいずれかを外皮材料とし、プラステッイク製線材の外皮として巻き上げ固定させることで、プラステッイク線材の太さの白い部分が全く見えないようにすることで、視覚的に違和感あるいは不自然性の全くない食品装飾用の骨材、芯材及び結束材を提供する。本考案の製造には手で容易に変形できるため、形状を目で想起しやすいことと、当然ながら食品装飾用途分野あるいは産業上においての利用度の高いことが予測できる。
【図面の簡単な説明】
【００１４】
【図１】本考案の実施例で用いたポリエチレン製線材（１）から外皮材料（３）を剥離させた時のポリエチレンの中実部（２）を取り出した顕微鏡拡大図を示す。
【図２】図１の本考案のポリエチレン製線材（１）を用いて、食品装飾用の代表的商品である「オーナメント商品」の結束部（９）及び飾り付け部品の芯部（１０）、（１１）、（１２）に用いた正面図を示す。
【符号の説明】
【００１５】１  ポリエチレン製線材
２  ポリエチレン製線材に巻きつけた外皮材料を剥離し、中実部を露出した白い部分
３  ポリエチレン製線材の外皮材料
４  オーナメント商品の団栗
５  オーナメント商品の柊葉
６  オーナメント商品のハンの実
７  オーナメント商品のリボン
８  オーナメント商品の羽衣ラメ
９  ポリエチレン製線材（１）で製造した結束材
１０ポリエチレン製線材（１）で製造したハンの芯材
１１ポリエチレン製線材（１）で製造した団栗の芯材
１２ポリエチレン製線材（１）で製造した赤玉の芯材
１３オーナメント商品の赤玉
１４オーナメント商品のプラステッイク製ピック
１５オーナメント商品
【図１】
0003124130.tif 000005
【図２】
0003124130.tif 000006